(57)【要約】【課題】ＵＥ主導型の「Ｔ-ＡＤＳ」を用いて、ＵＥ宛ての音声通信用の着信信号についてだけでなく、ＵＥ宛てのＡＶ通信用の着信信号を転送すべきドメインを適切に選択する。【解決手段】本発明に係る移動通信方法は、ＵＥが、Ｅ-ＵＴＲＡＮ配下のセルに在圏している場合に、ＩＭＳが、ＵＥ宛ての着信信号を受信した旨を示す着信指示信号を、Ｅ-ＵＴＲＡＮを介してＵＥに対して送信する工程と、ＵＥが、ＵＥ宛ての着信信号の種別がＡＶ通信であると判定した場合、ＩＭＳに対して、ＩＭＳを介したＡＶ通信に対応することができない旨を示す「ＲＥＪＥＣＴ」を送信する工程と、ＩＭＳが、「ＲＥＪＥＣＴ」に応じて、ＵＥに対して、ＣＳＦＢを用いたＡＶ通信を提供することを決定する工程とを有する。【選択図】図３
2012244197.tif 000002
【特許請求の範囲】
【請求項１】
回線交換通信及びＩＭＳを介したＡＶ通信を提供していない第１無線アクセスネットワーク及び回線交換通信を提供している第２無線アクセスネットワークを含む移動通信システムにおける移動通信方法であって、
移動局が、前記第１無線アクセスネットワーク配下のセルに在圏している場合に、前記ＩＭＳが、該移動局宛ての着信信号を受信した旨を示す着信指示信号を、該第１無線アクセスネットワークを介して該移動局に対して送信する工程と、
前記移動局が、該移動局宛ての着信信号の種別がＡＶ通信であると判定した場合、前記ＩＭＳに対して、該ＩＭＳを介したＡＶ通信に対応することができない旨を示す拒絶信号を送信する工程と、
前記ＩＭＳが、前記拒絶信号に応じて、前記移動局に対して、ＣＳＦＢを用いたＡＶ通信を提供することを決定する工程とを有することを特徴とする移動通信方法。
【請求項２】
回線交換通信及びＩＭＳを介したＡＶ通信を提供していない第１無線アクセスネットワーク及び回線交換通信を提供している第２無線アクセスネットワークの両方にアクセス可能な移動局であって、
前記ＩＭＳからの前記移動局宛ての着信信号を受信するように構成されている受信部と、
前記第１無線アクセスネットワーク配下のセルに在圏している場合に、前記移動局宛ての着信信号の種別がＡＶ通信であると判定した場合、前記ＩＭＳに対して、該ＩＭＳを介したＡＶ通信に対応することができない旨を示す拒絶信号を送信するように構成されている送信部とを具備することを特徴とする移動局。
【発明の詳細な説明】
【技術分野】
【０００１】
本発明は、移動通信方法及び移動局に関する。
【背景技術】
【０００２】
従来、２Ｇ/３Ｇ方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ/ＧＥＲＡＮ：ＧＳＭ  ＥＤＧＥ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＵＴＲＡＮ/ＧＥＲＡＮ及びＥ-ＵＴＲＡＮの両方にアクセス可能なＵＥ（Ｕｓｅｒ  Ｅｑｕｉｐｍｅｎｔ、移動局）に対して、ＵＴＲＡＮ/ＧＥＲＡＮ或いはＥ-ＵＴＲＡＮのどちらかにおいて音声（Ｖｏｉｃｅ）通信を提供することができる。
【０００４】
ここで、かかる移動通信システムでは、ＵＥ主導型の「Ｔ-ＡＤＳ（Ｔｅｒｍｉｎａｔｅｄ-Ａｃｃｅｓｓ  Ｄｏｍａｉｎ  Ｓｅｌｅｃｔｉｏｎ）」を用いて、ＵＥに対して音声通信を提供するドメインを選択することができるように構成されている（非特許文献１及び２参照）。
【０００５】
図４を参照して、かかるＵＥ主導型の「Ｔ-ＡＤＳ」を用いてＵＥに対して音声通信を提供するドメインを選択する動作について説明する。
【０００６】
図４に示すように、ＩＭＳ（ＩＰ  Ｍｕｌｔｉｍｅｄｉａ  Ｓｕｂｓｙｓｔｅｍ、サービス制御ネットワーク）内のＳ-ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ、呼セッション制御サーバ装置）は、ステップＳ５０１において、ＵＥ宛ての音声通信用の着信信号（Ｉｎｖｉｔｅ＠Ｖｏｉｃｅ）を受信すると、ステップＳ５０２において、ＩＭＳ内のＳＣＣ-ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ、アプリケーションサーバ装置）に対して、かかる音声通信用の着信信号（Ｉｎｖｉｔｅ）を送信する。
【０００７】
ステップＳ５０３において、ＳＣＣ-ＡＳは、ＨＳＳ（Ｈｏｍｅ  Ｓｕｂｓｃｒｉｂｅｒ  Ｓｅｒｖｅｒ、加入者管理サーバ装置）に対して、問合せ信号を送信する。
【０００８】
ステップＳ５０４において、ＨＳＳは、かかる問合せ信号に応じて、ＳＧＳＮ（Ｓｅｒｖｉｎｇ  ＧＰＲＳ  Ｓｕｐｐｏｒｔ  Ｎｏｄｅ、パケット交換機）及びＭＭＥに対して、ＵＥの在圏するドメインを問い合わせるドメイン問合せ信号を送信する。
【０００９】
ステップＳ５０５において、ＨＳＳは、ＳＣＣ-ＡＳに対して、上述の問合せ信号に対する応答信号を送信することによって、ＵＥの在圏するドメイン（図４の例では、Ｅ-ＵＴＲＡＮ）を通知する。
【００１０】
ＳＣＣ-ＡＳは、ステップＳ５０６において、かかる応答信号に応じて、ＵＥ宛ての音声通信用の着信信号を転送すべきドメイン（図４の例では、Ｅ-ＵＴＲＡＮ）を決定し、Ｓ-ＣＳＣＦに対して、Ｅ-ＵＴＲＡＮに対してＵＥ宛ての音声通信用の着信信号を転送するように指示する着信ドメイン指示信号を送信する。
【００１１】
ステップＳ５０７及びＳ５０８において、Ｓ-ＣＳＣＦは、着信ドメイン指示信号によって指示されているＥ-ＵＴＲＡＮを介して、ＵＥに対して、ＵＥ宛ての音声通信用の着信信号を受信した旨を指示する着信指示信号を送信する。
【００１２】
ここで、ＵＥは、ＵＥの能力やＥ-ＵＴＲＡＮの能力に応じて、ＩＭＳを介した音声通信に対応することができないと決定した場合に、ステップＳ５０９及びＳ５１０において、Ｅ-ＵＴＲＡＮを介して、Ｓ-ＣＳＣＦに対して、ＩＭＳを介した音声通信に対応することができない旨を示す「ＲＥＪＥＣＴ」を送信する。
【００１３】
ステップＳ５１１において、Ｓ-ＣＳＣＦは、ＳＣＣ-ＡＳに対して、かかる「ＲＥＪＥＣＴ」を送信する。
【００１４】
ステップ５１２において、ＳＣＣ-ＡＳは、かかる「ＲＥＪＥＣＴ」に応じて、ＵＥに対して、ＣＳＦＢを用いた音声通信を提供することを決定する。
【先行技術文献】
【非特許文献】
【００１５】
【非特許文献１】３ＧＰＰ  ＴＳ２３.２２１
【非特許文献２】３ＧＰＰ  ＴＳ２３.２９２
【発明の概要】
【発明が解決しようとする課題】
【００１６】
なお、上述の移動通信システムにおいて、ＵＴＲＡＮ/ＧＥＲＡＮ及びＥ-ＵＴＲＡＮの両方にアクセス可能なＵＥに対して、ＡＶ（Ａｕｄｉｏ  Ｖｉｄｅｏ）通信を提供することが想定される。
【００１７】
ここで、Ｅ-ＵＴＲＡＮ配下のセルにおいて、ＩＭＳを介したＡＶ通信を提供することができない場合、Ｅ-ＵＴＲＡＮに在圏するＵＥに対しては、ＣＳＦＢ（ＣＳ  Ｆａｌｌｂａｃｋ）を用いて、ＵＴＲＡＮ/ＧＥＲＡＮにおいてＡＶ通信を提供する必要がある。
【００１８】
しかしながら、上述の移動通信システムでは、ＵＥ主導型の「Ｔ-ＡＤＳ」を用いて、ＵＥ宛てのＡＶ通信用の着信信号を転送すべきドメインを選択することができないという問題点があった。
【００１９】
そこで、本発明は、上述の課題に鑑みてなされたものであり、ＵＥ主導型の「Ｔ-ＡＤＳ」を用いて、ＵＥ宛ての音声通信用の着信信号についてだけでなく、ＵＥ宛てのＡＶ通信用の着信信号を転送すべきドメインを適切に選択することができる移動通信方法及び移動局を提供することを目的とする。
【課題を解決するための手段】
【００２０】
本発明の第１の特徴は、回線交換通信及びＩＭＳを介したＡＶ通信を提供していない第１無線アクセスネットワーク及び回線交換通信を提供している第２無線アクセスネットワークを含む移動通信システムにおける移動通信方法であって、移動局が、前記第１無線アクセスネットワーク配下のセルに在圏している場合に、前記ＩＭＳが、該移動局宛ての着信信号を受信した旨を示す着信指示信号を、該第１無線アクセスネットワークを介して該移動局に対して送信する工程と、前記移動局が、該移動局宛ての着信信号の種別がＡＶ通信であると判定した場合、前記ＩＭＳに対して、該ＩＭＳを介したＡＶ通信に対応することができない旨を示す拒絶信号を送信する工程と、前記ＩＭＳが、前記拒絶信号に応じて、前記移動局に対して、ＣＳＦＢを用いたＡＶ通信を提供することを決定する工程とを有することを要旨とする。
【００２１】
本発明の第２の特徴は、回線交換通信及びＩＭＳを介したＡＶ通信を提供していない第１無線アクセスネットワーク及び回線交換通信を提供している第２無線アクセスネットワークの両方にアクセス可能な移動局であって、前記ＩＭＳからの前記移動局宛ての着信信号を受信するように構成されている受信部と、前記第１無線アクセスネットワーク配下のセルに在圏している場合に、前記移動局宛ての着信信号の種別がＡＶ通信であると判定した場合、前記ＩＭＳに対して、該ＩＭＳを介したＡＶ通信に対応することができない旨を示す拒絶信号を送信するように構成されている送信部とを具備することを要旨とする。
【発明の効果】
【００２２】
以上説明したように、本発明によれば、ＵＥ主導型の「Ｔ-ＡＤＳ」を用いて、ＵＥ宛ての音声通信用の着信信号についてだけでなく、ＵＥ宛てのＡＶ通信用の着信信号を転送すべきドメインを適切に選択することができる移動通信方法及び移動局を提供することができる。
【図面の簡単な説明】
【００２３】
【図１】本発明の第１の実施形態に係る移動通信システムの全体構成図である。
【図２】本発明の第１の実施形態に係るＳＣＣ-ＡＳの機能ブロック図である。
【図３】本発明の第１の実施形態に係る移動通信システムの動作を説明するための図である。
【図４】従来の移動通信システムの動作を説明するための図である。
【発明を実施するための形態】
【００２４】
（本発明の第１の実施形態に係る移動通信システム）
図１乃至図３を参照して、本発明の第１の実施形態に係る移動通信システムについて説明する。
【００２５】
図１に示すように、本実施形態に係る移動通信システムは、ＩＭＳや、ＨＳＳや、ＳＧＳＮや、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＵＴＲＡＮ/ＧＥＲＡＮや、Ｐ/Ｓ-ＧＷや、ＭＭＥや、Ｅ-ＵＴＲＡＮ等を具備している。
【００２６】
ＩＭＳ内には、ＳＣＣ-ＡＳや、Ｓ-ＣＳＣＦや、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）等が配置されている。
【００２７】
また、ＵＥは、ＵＴＲＡＮ/ＧＥＲＡＮ及びＥ-ＵＴＲＡＮの両方にアクセスすることができるように構成されており、図２に示すように、受信部１１と、決定部１２と、送信部１３とを具備している。
【００２８】
受信部１１は、ＩＭＳから、ＵＥ宛ての音声通信用の着信信号（Ｉｎｖｉｔｅ＠Ｖｏｉｃｅ）やＵＥ宛てのＡＶ通信用の着信信号（Ｉｎｖｉｔｅ＠ＡＶ）を受信した旨を示す着信指示信号を受信するように構成されている。
【００２９】
決定部１２は、ＵＥの能力やＥ-ＵＴＲＡＮの能力に応じて、ＩＭＳを介した音声通信に対応可能であるか否かについて、或いは、ＩＭＳを介したＡＶ通信に対応可能であるか否かについて決定するように構成されている。
【００３０】
例えば、決定部１２は、ＵＥ宛ての着信信号の種別が、ＡＶ通信であると判定した場合で、かつ、Ｅ-ＵＴＲＡＮにおいてＩＭＳを介したＡＶ通信が提供されていないと判定した場合に、ＩＭＳを介したＡＶ通信に対応することができないと決定するように構成されている。
【００３１】
同様に、決定部１２は、ＵＥ宛ての着信信号の種別が、音声通信であると判定した場合で、かつ、Ｅ-ＵＴＲＡＮにおいてＩＭＳを介した音声通信が提供されていないと判定した場合に、ＩＭＳを介したＡＶ通信に対応することができないと決定するように構成されている。
【００３２】
送信部１３は、決定部１２によってＩＭＳを介したＡＶ通信に対応することができないと決定された場合、ＩＭＳに対して、ＩＭＳを介した音声通信に対応することができない旨を示す「ＲＥＪＥＣＴ」及びＩＭＳを介したＡＶ通信に対応することができない旨を示す「ＲＥＪＥＣＴ」を送信するように構成されている。
【００３３】
以下、図３を参照して、本実施形態に係る移動通信システムの具体的な動作について説明する。
【００３４】
図３に示すように、Ｓ-ＣＳＣＦは、ステップＳ１０１において、ＵＥ宛てのＡＶ通信用の着信信号（Ｉｎｖｉｔｅ＠ＡＶ）を受信すると、ステップＳ１０２において、ＳＣＣ-ＡＳに対して、かかる着信信号（Ｉｎｖｉｔｅ）を送信する。
【００３５】
ステップＳ１０３において、ＳＣＣ-ＡＳは、ＨＳＳに対して、問合せ信号を送信する。
【００３６】
ステップＳ１０４において、ＨＳＳは、かかる問合せ信号に応じて、ＳＧＳＮ及びＭＭＥに対して、ＵＥの在圏するドメインを問い合わせるドメイン問合せ信号を送信する。
【００３７】
ステップＳ１０５において、ＨＳＳは、ＳＣＣ-ＡＳに対して、上述の問合せ信号に対する応答信号を送信することによって、ＵＥの在圏するドメイン（図３の例では、Ｅ-ＵＴＲＡＮ）を通知する。
【００３８】
ＳＣＣ-ＡＳは、ステップＳ１０６において、かかる応答信号に応じて、ＵＥ宛てのＡＶ通信用の着信信号を転送すべきドメイン（図３の例では、Ｅ-ＵＴＲＡＮ）を決定し、Ｓ-ＣＳＣＦに対して、Ｅ-ＵＴＲＡＮに対してＵＥ宛てのＡＶ通信用の着信信号を転送するように指示する着信ドメイン指示信号を送信する。
【００３９】
ステップＳ１０７及びＳ１０８において、Ｓ-ＣＳＣＦは、着信ドメイン指示信号によって指示されているＥ-ＵＴＲＡＮを介して、ＵＥに対して、ＵＥ宛てのＡＶ通信用の着信信号を受信した旨を指示する着信指示信号を送信する。
【００４０】
ここで、ＵＥは、ＵＥの能力やＥ-ＵＴＲＡＮの能力に応じて、ＩＭＳを介したＡＶ通信に対応することができないと決定した場合に、ステップＳ１０９及びＳ１１０において、Ｅ-ＵＴＲＡＮを介して、Ｓ-ＣＳＣＦに対して、ＩＭＳを介したＡＶ通信に対応することができない旨を示す「ＲＥＪＥＣＴ」を送信する。
【００４１】
ステップＳ１１１において、Ｓ-ＣＳＣＦは、ＳＣＣ-ＡＳに対して、かかる「ＲＥＪＥＣＴ」を送信する。
【００４２】
ステップ１１２において、ＳＣＣ-ＡＳは、かかる「ＲＥＪＥＣＴ」に応じて、ＵＥに対して、ＣＳＦＢを用いたＡＶ通信を提供することを決定する。
【００４３】
本実施形態に係る移動通信システムによれば、ＩＭＳへのインパクト無しに、ＩＭＳにおいて、ＵＥ宛ての音声通信用の着信信号についてだけでなく、ＵＥ宛てのＡＶ通信用の着信信号を転送すべきドメインを適切に選択することができる。
【００４４】
以上に述べた本実施形態の特徴は、以下のように表現されていてもよい。
【００４５】
本実施形態の第１の特徴は、ＣＳ通信（回線交換通信）及びＩＭＳを介したＡＶ通信を提供していないＥ-ＵＴＲＡＮ（第１無線アクセスネットワーク）及びＣＳ通信を提供しているＵＴＲＡＮ/ＧＥＲＡＮ（第２無線アクセスネットワーク）を含む移動通信システムにおける移動通信方法であって、ＵＥ（移動局）が、Ｅ-ＵＴＲＡＮ配下のセルに在圏している場合に、ＩＭＳが、ＵＥ宛ての着信信号を受信した旨を示す着信指示信号を、Ｅ-ＵＴＲＡＮを介してＵＥに対して送信する工程と、ＵＥが、ＵＥ宛ての着信信号の種別がＡＶ通信であると判定した場合、ＩＭＳに対して、ＩＭＳを介したＡＶ通信に対応することができない旨を示す「ＲＥＪＥＣＴ（拒絶信号）」を送信する工程と、ＩＭＳが、「ＲＥＪＥＣＴ」に応じて、ＵＥに対して、ＣＳＦＢを用いたＡＶ通信を提供することを決定する工程とを有することを要旨とする。
【００４６】
本実施形態の第２の特徴は、ＩＭＳを介したＡＶ通信を提供していないＥ-ＵＴＲＡＮ及びＵＴＲＡＮ/ＧＥＲＡＮの両方にアクセス可能なＵＥであって、ＩＭＳからのＵＥ宛ての着信信号を受信するように構成されている受信部１１と、Ｅ-ＵＴＲＡＮ配下のセルに在圏している場合に、ＵＥ宛ての着信信号の種別がＡＶ通信であると判定した場合、ＩＭＳに対して、ＩＭＳを介したＡＶ通信に対応することができない旨を示す「ＲＥＪＥＣＴ」を送信するように構成されている送信部１３とを具備することを要旨とする。
【００４７】
なお、上述のＵＥ、ＵＴＲＡＮ/ＧＥＲＡＮ、ＭＳＣ、ＳＧＳＮ、Ｅ-ＵＴＲＡＮ、ＭＭＥ、Ｓ/Ｐ-ＧＷ、Ｐ-ＣＳＣＦ、Ｓ-ＣＳＣＦ、ＳＣＣ-ＡＳ、ＨＳＳの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ、ＵＴＲＡＮ/ＧＥＲＡＮ、ＭＳＣ、ＳＧＳＮ、Ｅ-ＵＴＲＡＮ、ＭＭＥ、Ｓ/Ｐ-ＧＷ、Ｐ-ＣＳＣＦ、Ｓ-ＣＳＣＦ、ＳＣＣ-ＡＳ、ＨＳＳ内に設けられていてもよい。また、かかる記憶媒体及びプロセッサは、ディスクリートコンポーネントとしてＵＥ、ＵＴＲＡＮ/ＧＥＲＡＮ、ＭＳＣ、ＳＧＳＮ、Ｅ-ＵＴＲＡＮ、ＭＭＥ、Ｓ/Ｐ-ＧＷ、Ｐ-ＣＳＣＦ、Ｓ-ＣＳＣＦ、ＳＣＣ-ＡＳ、ＨＳＳ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５１】
ＵＥ…移動局
Ｅ-ＵＴＲＡＮ、ＵＴＲＡＮ/ＧＥＲＡＮ…無線アクセスネットワーク
ＭＳＣ…回線交換機
ＳＧＳＮ…パケット交換機
Ｓ/Ｐ-ＧＷ…ゲートウェイ装置
ＭＭＥ…移動管理ノード
ＨＳＳ…加入者管理サーバ装置
Ｓ-ＣＳＣＦ、Ｐ-ＣＳＣＦ…呼セッション制御サーバ装置
ＳＣＣ-ＡＳ…アプリケーションサーバ装置
１１…受信部
１２…決定部
１３…送信部
【図１】
2012244197.tif 000003
【図２】
2012244197.tif 000004
【図３】
2012244197.tif 000005
【図４】
2012244197.tif 000006